(57)【特許請求の範囲】
【請求項１】
ユーザ機器（ＵＥ）をモバイル終端回線交換（ＣＳ）サービスに対してページングするＶｉｓｉｔｏｒ  Ｌｏｃａｔｉｏｎ  Ｒｅｇｉｓｔｅｒ（ＶＬＲ）であって、
前記ＵＥにサービスを提供するモビリティ管理エンティティ（ＭＭＥ）がもはや利用できる状態にないことを検出し、
復元標識を有するＳＧｓページング要求を１つの代替のＭＭＥへと送信する、ＶＬＲ。
【請求項２】
請求項１に記載のＶＬＲであって、さらに、同一のＭＭＥプールに属する複数のＭＭＥから前記代替のＭＭＥを選ぶ、ＶＬＲ。
【請求項３】
前記ＭＭＥに対する利用できる状態にあるＳＣＴＰ関連付けがもはや存在しないことを検出することによってＭＭＥがもはや利用できる状態にないことを検出する、請求項１または２に記載のＶＬＲ。
【請求項４】
同一のＭＭＥプールに属するＭＭＥアイデンティティのセットを備えて事前構成される、請求項１乃至３のいずれか１項に記載のＶＬＲ。
【請求項５】
ＭＭＥプール内の複数の代替のＭＭＥのアイデンティティを含むＳＧｓメッセージをさらに受信し、前記ＳＧｓメッセージがＳＧｓＡＰロケーション更新要求またはＳＧｓＡＰリセット指示メッセージを含む、請求項１乃至４のいずれか１項に記載のＶＬＲ。
【請求項６】
前記ＳＧｓページング要求が「ＣＳ呼標識」または「ＳＭＳ標識」を示すサービス標識情報要素を有する、請求項１乃至５のいずれか１項に記載のＶＬＲ。
【請求項７】
ユーザ機器（ＵＥ）をページングするモビリティ管理エンティティ（ＭＭＥ）であって、
ユーザ機器（ＵＥ）のためのモバイル終端回線交換（ＣＳ）サービスに対する復元標識を含む受信したＳＧｓページング要求における、モバイル終端ＣＳサービスに対する復元標識の値を検出する、ＭＭＥ。
【請求項８】
前記ＳＧｓページング要求に含まれるサービス標識、
前記ＭＭＥに知られている前記ＵＥ、および、
前記ＳＧｓページング要求におけるロケーション区域識別、
の内の少なくとも１つに依存する前記ＳＧｓページング要求をさらに扱う、請求項７に記載のＭＭＥ。
【請求項９】
Ｖｉｓｉｔｏｒ  Ｌｏｃａｔｉｏｎ  Ｒｅｇｉｓｔｅｒ（ＶＬＲ）の１つまたは複数のプロセッサによって実行される、ＳＧｓページング要求を生成するための方法であって、前記ＳＧｓページング要求に、ＩＭＳＩ、サービス標識、および、モバイル終端回線交換（ＣＳ）サービスに対する復元標識を含めるステップを含む方法。
【請求項１０】
前記サービス標識が「ＣＳ呼標識」または「ＳＭＳ標識」を示す、請求項９に記載の方法。
【請求項１１】
１つの代替のＭＭＥに前記復元標識を有する前記ＳＧｓページング要求を送信するステップをさらに含む請求項９または１０に記載の方法。
【請求項１２】
同一のＭＭＥプールに属する複数のＭＭＥから前記代替のＭＭＥを選ぶステップをさらに含む、請求項１１に記載の方法。
【請求項１３】
モビリティ管理エンティティ（ＭＭＥ）の１つまたは複数のプロセッサによって実行される、ＳＧｓページング要求を受信する方法であって、
ＩＭＳＩ、サービス標識、および、モバイル終端回線交換（ＣＳ）サービスに対する復元標識を含む受信したＳＧｓページング要求における、モバイル終端ＣＳサービスに対する復元標識の値を検出するステップを含む、方法。
【請求項１４】
請求項１３に記載の方法であって、
前記復元標識の検出された値
前記サービス標識によって示されるサービス、および、
前記ＳＧｓページング要求におけるロケーション区域識別、
の内の少なくとも１つに依存する前記ＳＧｓページング要求を扱うステップをさらに含む、方法。
【発明の詳細な説明】
【技術分野】
【０００１】
本発明は、一般に、モバイル通信ネットワークおよびモバイル通信システムに関する。
【背景技術】
【０００２】
モバイル通信ネットワークおよびモバイル通信システムの詳細な説明は、例えば、特に、３ＧＰＰ（第３世代パートナーシップ・プロジェクト）などの標準化組織によって公開される技術仕様書などの文献において見ることができる。
【０００３】
そのようなシステムにおいて、モバイル端末装置（またはユーザ機器ＵＥ）は、モバイル通信サービスを提供するコア・ネットワーク（ＣＮ）に無線アクセス・ネットワーク（ＲＡＮ）を介してアクセスできる。
【０００４】
例えば、３ＧＰＰシステムなどのシステムの例には、２Ｇ−ＧＳＭ、３Ｇ−ＵＭＴＳ、３ＧＬＴＥ−ＥＰＳ（発展型パケット・システム）が含まれる。
【０００５】
例えば、ＥＰＳのためのアーキテクチャが、３ＧＰＰ  ＴＳ２３．４０１からとられた図１で想起される。ＥＰＳコア・ネットワークはＥＰＣ（発展型パケット・コア）と呼ばれるＰＳ（パケット交換）ドメインを含む。ＥＰＣは、特に、アイドル・モードにあるＵＥに向けてのＭＴ（モバイル終端）サービスのためのモビリティ管理およびページング手順などの制御プレーン機能を担う、特にＭＭＥ（モビリティ管理エンティティ）などのエンティティを含む。ＥＰＳにおいて、ＣＳ（回線交換）サービス（例えば、音声サービス、またはＳＭＳ（ショート・メッセージ・サービス）などの他のサービスなどの）は、事業者のＩＰネットワーク（例えば、ＩＭＳネットワーク）にＩＰ接続を提供するＰＳドメインＥＰＣを介して、ＩＰベースのサービスとして配信され得る。
【０００６】
逆に、ＧＳＭまたはＵＭＴＳ（特に図示しない）などのシステムにおいて、ＣＳサービス（例えば、音声サービス、またはＳＭＳ（ショート・メッセージ・サービス）などの他のサービスなどの）は、ＣＳ（回線交換）ドメインを介して配信される。ＣＳドメインは、特に、アイドル・モードにあるＵＥに向けてのＭＴ（モバイル終端）サービスのためのモビリティ管理およびページング手順などの制御プレーン機能を担う、特にＭＳＣ／ＶＬＲサーバまたはＭＳＣサーバ／ＶＬＲ）などのエンティティを含む。
【０００７】
新たに展開されたＥＰＳインフラストラクチャと並存する既に展開されているＣＳインフラストラクチャの再使用を可能にする新たな機能が導入され得る。
【０００８】
そのような新たな機能の例が、特に３ＧＰＰ  ＴＳ２３．２７２に明記される、ＥＰＳにおけるＣＳＦＢ（ＣＳフォールバック）および／またはＳＭＳ  ｏｖｅｒ  ＳＧｓと呼ばれる機能である。ＥＰＳにおけるＣＳＦＢおよび／またはＳＭＳ  ｏｖｅｒ  ＳＧｓのためのＥＰＳアーキテクチャが、３ＧＰＰ  ＴＳ２３．２７２からとられた図２で想起される。
【０００９】
ＥＰＳにおけるＣＳＦＢおよび／またはＳＭＳ  ｏｖｅｒ  ＳＧｓ機能は、ＣＳドメインにおけるＭＳＣ／ＶＬＲ（またはＭＳＣサーバ／ＶＬＲ）とＥＰＣにおけるＭＭＥの間で、そのような機能をサポートするＳＧｓインターフェース機構を使用する。ＳＧｓインターフェースは、特に３ＧＰＰ  ＴＳ２９．１１８に明記される。
【００１０】
ＳＧｓは、ＭＭＥとＭＳＣ／ＶＬＲ（またはＭＳＣサーバ／ＶＬＲ）の間の基準ポイントである。ＳＧｓ基準ポイントは、ＥＰＳとＣＳドメインの間のモビリティ管理およびページング手順のために使用される。また、ＳＧｓ基準ポイントは、ＳＭＳ配信のためにも使用される。
【先行技術文献】
【非特許文献】
【００１１】
【非特許文献１】３ＧＰＰ  ＴＳ２３．４０１
【非特許文献２】３ＧＰＰ  ＴＳ２３．２７２
【非特許文献３】３ＧＰＰ  ＴＳ２９．１１８
【非特許文献４】３ＧＰＰ  ＴＳ２４．３０１
【非特許文献５】ＩＥＴＦ  ＲＦＣ４９６０
【発明の概要】
【発明が解決しようとする課題】
【００１２】
本発明者によって認識され、さらにこの説明の後段でより詳細に説明されるように、特に、ＥＰＳにおけるＣＳＦＢおよび／またはＳＭＳ  ｏｖｅｒ  ＳＧｓ機能が使用される際に、ＭＴ（モバイル終端）ＣＳサービスの配信を向上させる必要性が存在する。より一般的には、ＬＴＥ／ＥＰＣの展開が、ＭＴ（モバイル終端）ＣＳサービスの配信を阻害しないように、そのようなシステムにおいてエンド・ユーザによって認識されるエンド・ユーザ体験、またはサービス品質を向上させる必要性が存在する。
【課題を解決するための手段】
【００１３】
本発明の実施形態は、そのような必要性に特に対処する。
【００１４】
これら、およびその他の目的が、一態様において、モバイル通信システムにおいて、前記ＭＴ  ＣＳサービスのためにユーザ機器ＵＥに向けられたページング要求のために連絡がされるべきであると最初に識別された、最初のＣＮエンティティと呼ばれるＰＳコア・ネットワークＣＮエンティティに障害が生じた場合に、ＭＴ（モバイル終端）ＣＳサービスを復元するための方法によって達成される。
【００１５】
或る実施形態において、前記方法は、
−  前記最初のＣＮエンティティの代わりに代替のＣＮエンティティに連絡がされること、および前記ＵＥが前記代替のＣＮエンティティに知られていない場合でさえ、前記代替のＣＮエンティティが前記ページング要求を承認するように強制されることを行うステップ
を含む。
【００１６】
これら、およびその他の目的が、他の態様において、特に、ＥＰＳにおけるＣＳＦＢおよび／またはＳＭＳ  ｏｖｅｒ  ＳＧｓ機能をサポートするＭＭＥおよびＭＳＣ／ＶＬＲ（またはＭＳＣサーバ／ＶＬＲ）などの、ＭＴ（モバイル終端）ＣＳサービスのそのような復元を実行するために構成されたＣＮエンティティによって達成される。
【００１７】
次に、単に例として、添付の図面を参照して、本発明の実施形態による装置および／または方法のいくつかの実施形態を説明する。
【図面の簡単な説明】
【００１８】
【図１】ＥＰＳアーキテクチャの例を想起するための図である。
【図２】ＥＰＳにおけるＣＳフォールバックおよび／またはＳＭＳ  ｏｖｅｒ  ＳＧｓのためのアーキテクチャの例を想起するための図である。
【図３】例えば、ＥＰＳにおけるＣＳフォールバックおよび／またはＳＭＳ  ｏｖｅｒ  ＳＧｓをサポートするシステムにおける、本発明の或る実施形態による方法の例を示すための図である。
【発明を実施するための形態】
【００１９】
以下に、本発明の実施形態が、例として、ＥＰＳにおけるＣＳＦＢおよび／またはＳＭＳ  ｏｖｅｒ  ＳＧｓ機能をサポートするシステムの事例に関して、より詳細に説明される。しかし、本発明は、そのような事例に限定されない。
【００２０】
モバイル・ネットワークにおけるＬＴＥの展開の場合、モバイルに終端するＣＳサービス（例えば、ＣＳ呼、ＳＭＳ、モバイル終端ロケーション要求）が、再起動の行われないＭＭＥ障害の後、または長いＭＭＥ障害の後、長期間にわたって（最大で周期的追跡区域更新タイマ、例えば、１時間）、契約者に首尾よく配信され得ないリスクが存在する。これと比較して、ＣＳに終端するサービスは、ＬＴＥの導入以前に、全く遅延なしに配信され得る。
【００２１】
ＣＳサービスおよび／またはＳＭＳサービスのサポートを要求するＬＴＥの下のＵＥは、ＥＰＳサービスと非ＥＰＳサービス（すなわち、ＣＳサービス）の両方のために、またはＥＰＳサービスと「ＳＭＳ専用」サービスの両方のために接続する複合接続手順を実行し、さらに実際の追跡区域の登録を更新するのに複合追跡区域更新手順を実行する（３ＧＰＰ  ＴＳ２３．４０１およびＴＳ２４．３０１参照）。それらの手順中、サービングＭＭＥは、ＣＳサービスおよび／またはＳＭＳサービスを提供するＭＳＣに向けて非ＥＰＳサービス手順に関するロケーション更新を開始し、その結果、ＭＭＥとＭＳＣの間でＳＧｓ関連付けを確立する（３ＧＰＰ  ＴＳ２３．２７２およびＴＳ２９．１１８参照）。その後のＣＳに終端するサービス（例えば、ＭＴ  ＣＳ呼またはＳＭＳ）を受信すると、ＭＳＣは、「ＣＳ呼標識」または「ＳＭＳ標識」を有するＳＧｓページング要求メッセージをサービングＭＭＥに送信し、このことが、ＣＳフォールバック手順、またはＬＴＥ経由のＳＭＳ転送をトリガする（３ＧＰＰ  ＴＳ２３．２７２およびＴＳ２９．１１８参照）。
【００２２】
ＭＭＥに障害が生じるが、再起動する場合に、モバイルに終端するＣＳサービス（例えば、ＣＳ呼またはＳＭＳ）を維持する復元手順が、３ＧＰＰ  ＴＳ２９．１１８（特に条項５．１．３参照）において定義される。それらの手順は、ＭＭＥが、ＭＭＥが再起動した後の或る期間にわたって、知られていないＵＥに関して受信されたＳＧｓページング要求を承認することに基本的に依拠し、その期間の持続時間は、通常、ＵＥに割り当てられた最大の追跡区域更新タイマの範囲に及ぶ。その期間中、ＭＭＥは、システム全体のパラメータ、ＭＭＥリセットを真に設定する。その期間の後、ＭＭＥは、ＭＭＥリセット・パラメータを偽に設定し、知られていないＵＥに関するＳＧｓページング要求を承認することを停止する。
【００２３】
しかし、ＭＭＥに障害が生じて再起動しない場合、またはＭＭＥに長い持続時間にわたって障害が生じた場合、ＭＳＣが、ＭＭＥを介してＵＥにページングすることはもはや可能でない。アイドル・モードにあるＵＥは、ＵＥが、いくらかのアップリンク・データまたはシグナリング（例えば、周期的追跡区域更新）を送信することが必要になるまで、ＭＭＥ障害を認識していないので、ＬＴＥの下に留まるが、モバイルに終端するサービスをもはや受信することができない。
【００２４】
本発明の実施形態は、特に、そのような問題を解決すること、またはそのような欠点を回避することを可能にする。
【００２５】
本発明の実施形態は、ネットワークが、ＵＥに、ＵＥが位置しているＭＭＥプールの中の代替のＭＭＥを介してＣＳサービスを配信しつづけるようにする。ＭＭＥプールは、プール区域と呼ばれる同一の区域にサービスを提供するいくつかのＭＭＥを含むことが想起される。
【００２６】
或る実施形態において、以下のステップが提供され得る：
１．  通常の動作中、（最初の）ＭＭＥが、（複数可）ＭＳＣ／ＶＬＲに、ＭＭＥプール内の代替の（複数可）ＭＭＥのアイデンティティをシグナリングすることが可能である。代替として、ＭＳＣ／ＶＬＲが、同一のＭＭＥプールに属するＭＭＥアイデンティティのセットを備えて事前構成されてもよい。
２．  モバイルに終端するサービス（例えば、ＣＳ呼）が受信されると、ＭＳＣ／ＶＬＲが、ＵＥにサービスを提供する（最初の）ＭＭＥがもはや利用できる状態にないことを検出した場合（例えば、その（最初の）ＭＭＥに対する利用できる状態にあるＳＣＴＰ関連付けがもはや存在しないことを検出することによって）、これらの代替のＭＭＥのうちの１つを選択することが可能であり、さらにＳＧｓページング要求を、この（単一の）代替のＭＭＥに、メッセージの中に新たな「復元標識」パラメータを入れて送信して、受信側の（代替の）ＭＭＥが、ＵＥ（すなわち、ＩＭＳＩ）がこのＭＭＥに知られていない場合でさえ、およびこのＭＭＥが、最近に再起動していない場合でさえ（すなわち、「ＭＭＥリセット＝偽」状態においてさえ）、このＳＧｓページング要求を承認し、ＣＳＦＢ手順またはＳＭＳ手順にとりかかるように強制することが可能である。
３．  新たな「復元標識」フラグを含むそのような要求を受信すると、（代替の）ＭＭＥは、ＭＭＥが最近に再起動した事例に関する（すなわち、ＭＭＥリセット＝真である事例に関する）３ＧＰＰ  ＴＳ２９．１１８、条項５．１．３において規定された既存の復元手順にとりかかることが可能である。
注：前述した新たな「復元標識」フラグがないと、ＭＭＥは、知られていないＵＥに関するＳＧｓページング要求を拒否して（既存の仕様のように）、ＭＳＣ／ＶＬＲ再起動の後にＶＬＲが複数のＭＭＥにＳＧｓページング要求をブロードキャストする場合に複数のＭＭＥがそのＵＥにページングすることを回避することになる。
【００２７】
他の実施形態において、例えば、図３に示されるように、以下のステップが提供され得る。
【００２８】
通常の動作中、ＭＭＥ１で表される（最初の）ＭＭＥが、ＭＭＥ１がＳＧｓとの関連付けを有するＭＳＣ／ＶＬＲに、ＭＭＥプール（図示されるように、ＭＭＥ２、ＭＭＥｘなどの）内の代替の（複数可）ＭＭＥのアイデンティティをシグナリングする。（最初の）ＭＭＥは、既存のＳＧｓシグナリング・メッセージ、例えば、ＳＧｓＡＰロケーション更新要求（ステップ１で例示される）またはＳＧｓＡＰリセット指示メッセージの中で送信される追加のＭＭＥ名の形態でそれらのＭＭＥアイデンティティを送信することが可能である。代替として、ＭＳＣ／ＶＬＲが、同一のＭＭＥプールに属するＭＭＥアイデンティティのセットを備えて事前構成されてもよい。
【００２９】
ＴＳ２９．１１８、条項６で規定されるように、ＳＣＴＰ（ＩＥＴＦ  ＲＦＣ４９６０参照）が、ＳＧｓＡＰメッセージのトランスポート層として定義される。ＭＭＥとＶＬＲの間で半永久的なＳＣＴＰ関連付けが確立されなければならず、すなわち、ＳＣＴＰ関連付けは、通常の条件下で確立されたままでなければならない。ＭＭＥが、ＳＣＴＰ関連付けを確立しなければならない。トランスポート・ネットワーク冗長性が、一方、または両方に複数のＩＰアドレスが割り当てられた２つのエンドポイント間のＳＣＴＰマルチホーミングによって実現可能である。ＭＭＥとＶＬＲは、ＭＭＥ／ＶＬＲペアごとに単一のＳＣＴＰとの関連付けを有する構成をサポートしなければならない。ＭＭＥ／ＶＬＲペアごとに複数のＳＣＴＰエンドポイントを有する構成がサポートされてもよい。
【００３０】
最初のＭＭＥに障害が生じた場合（ステップ２に示されるように）、ＭＳＣ／ＶＬＲが、例えば、ステップ２’に示されるように、（最初の）ＭＭＥに対する利用できる状態にあるＳＣＴＰ関連付けがもはや存在しないことを検出することによって、そのような障害を検出することが可能である。
【００３１】
ステップ３に示されるように、モバイルに終端するサービス（例えば、ＣＳ呼）が受信されると、ＭＳＣ／ＶＬＲが、（最初の）ＭＭＥ（ＵＥが非ＥＰＳサービスまたは非ＳＭＳサービスに登録した際に経由したＭＭＥ）の障害を検出する場合、ＭＳＣ／ＶＬＲは、ステップ４に示されるように、障害の生じたＭＭＥからあらかじめ受信されているＭＭＥのリストの中から代替の１つのＭＭＥ（ＭＭＥ２で表される）を選択することが可能であり、さらに、ステップ５に示されるように、ＳＧｓページング要求を、この（単一の）代替のＭＭＥに（そのＭＭＥに対する利用できる状態にあるＳＣＴＰ関連付けのうちの１つを介して）、メッセージの中に新たな「復元標識」パラメータを含めて、送信することが可能である。
【００３２】
受信側のＭＭＥ（代替の）が、ステップ６に示されるように、ＭＭＥが最近に、ただし、ＭＭＥ自らの「ＭＭＥリセット」値にかかわらず再起動している事例に関してＴＳ２９．１１８、条項５．１．３で現在、規定されているように、すなわち、以下のように、新たな「復元標識」フラグが設定されたＳＧｓＡＰページング要求を処理することが可能である。
【００３３】
ＳＧｓＡＰページング要求メッセージの中のサービス標識情報要素が、「ＣＳ呼標識」を示す場合、ＭＭＥは、このページング要求を以下のように扱わなければならない：
ｃ）ＵＥが知られていない場合、そのＭＭＥにおける「ＭＭＥリセット」復元標識にかかわらず、ＭＭＥは、以下のように、ページング要求を扱わなければならない：
−  ＭＭＥが「ＳＭＳ専用」だけしかサポートしない場合、ＭＭＥは、ＳＧｓ理由情報要素の中で「モバイル終端ＣＳフォールバック呼が、ユーザによって拒否された」ことを示して、ＶＬＲにＳＧｓＡＰページング拒否メッセージを戻さなければならない。
−  ＳＧｓＡＰページング要求メッセージが、ロケーション区域識別情報要素を含む場合、ＭＭＥは、ロケーション区域識別情報要素の中で示されるロケーション区域にマップされ得る、ＭＭＥによってサービスが提供されるすべての追跡区域内のＵＥにページングしなければならない。
−  ＳＧｓＡＰページング要求メッセージが、ロケーション区域識別情報要素を含まない場合、ＭＭＥは、ＭＭＥによってサービスが提供されるすべての追跡区域内で、またはＭＭＥおよびＶＬＲによってサービスが提供される追跡区域内でページングを行うことが可能である。
【００３４】
ＳＧｓＡＰページング要求メッセージの中のサービス標識情報要素が、「ＳＭＳ標識」を示す場合、ＭＭＥは、ページング要求を以下のように扱わなければならない：
ｃ）ＵＥが知られていない場合、ＭＭＥにおける「ＭＭＥリセット」復元標識にかかわらず、ＭＭＥは、ページング要求を以下のように扱わなければならない：
−  ＳＧｓＡＰページング要求メッセージが、ロケーション区域識別情報要素を含む場合、ＭＭＥは、ロケーション区域識別情報要素の中で示されるロケーション区域にマップされ得る、ＭＭＥによってサービスが提供されるすべての追跡区域内のＵＥにページングしなければならない。
−  ＳＧｓＡＰページング要求メッセージが、ロケーション区域識別情報要素を含まない場合、ＭＭＥは、ＭＭＥによってサービスが提供されるすべての追跡区域内で、またはＭＭＥおよびＶＬＲによってサービスが提供される追跡区域内でページングを行うことが可能である。
【００３５】
Ａ／ＧｂモードまたはＩｕモードへのＣＳフォールバックのためにＭＭＥによって開始されるページング手順が、３ＧＰＰ  ＴＳ２４．３０１、条項５．６．２．３でさらに規定される。ページング・メッセージは、ＵＥのＩＭＳＩ（またはそのアイデンティティが不揮発性メモリの中に格納されている場合、ＵＥのＳ−ＴＭＳＩ）に設定されたＵＥページングアイデンティティと、このページングがＣＳフォールバックのためのページングであることを示すために「ＣＳ」に設定されたＣＮドメイン標識とを含む。すると、ＭＭＥは、３ＧＰＰ  ＴＳ２３．２７２の中で、例えば、条項６．６または７．４で規定されるＣＳフォールバック呼フローに従うことが可能である。再起動されたＭＭＥ、または代替のＭＭＥは、ＵＥに送信されるＮＡＳシグナリングを完全性保護することができないが、ＵＥ内のＥＭＭエンティティは、通常、それらの種類のネットワーク復元シナリオに関して、完全性保護なしにＳＥＲＶＩＣＥ  ＲＥＪＥＣＴを承認しなければならない（＃２５以外のＥＭＭ理由で）（３ＧＰＰ  ＴＳ２４．３０１、条項４．４．４．２参照）ことに留意されたい。
【００３６】
ＳＭＳオーバＳＧｓに関して、受信側のＭＭＥは、以下のいずれかが可能である：
−  ＭＭＥが、Ｓ−ＴＭＳＩおよびセキュリティ・パラメータ（ＬＴＥを介するＳＭＳ転送のためのＮＡＳシグナリングを保護するのに要求される）を取得することができる場合、例えば、そのようなパラメータが不揮発性メモリの中に格納されている場合、ＳＭＳのためのページング手順（３ＧＰＰ  ＴＳ２４．３０１、条項５．６．２．４）に従うこと、または
−  ＵＥ（アイドル・モードにある）がＥＰＣに再接続することを強制するようにＩＭＳＩ（および「ＰＳ」に設定されたＣＮドメイン標識）を有するＵＥにページングすること。このことは、ＵＥが、プール内の任意のＭＭＥ（必ずしも同一のＭＭＥではない）に再接続されることにつながり、このことは、同一である可能性が高い（ただし、必ずしも同一ではない）ＭＳＣと新たなＭＭＥの間でＳＧｓ関連付けを復元することにつながる。その時点から、その後のＳＭＳは成功する。進行中のＳＭＳ転送は、失敗する（最初のＭＳＣにおいてページング・タイマが満了する）が、この新たな複合接続手順の後、既存のＳＭＳ手順（ＳＭＳアラート）がそのＳＭＳ転送を再開することを可能にする。
【００３７】
一態様において、モバイル通信システムにおいて、ＭＴ（モバイル終端）ＣＳサービスを、前記ＭＴ  ＣＳサービスのためにユーザ機器ＵＥに向けられたページング要求のために連絡がされるべきであると最初に識別された、最初のＣＮエンティティと呼ばれるＰＳコア・ネットワークＣＮエンティティに障害が生じた場合に復元するための方法が提供される。
【００３８】
単独で、または組合せで（様々な組合せにより）使用され得る様々な実施形態が提供される。
【００３９】
或る実施形態において、前記方法は、
−  前記最初のＣＮエンティティの代わりに代替のＣＮエンティティに連絡がされること、および前記ＵＥが前記代替のＣＮエンティティに知られていない場合でさえ、前記代替のＣＮエンティティが前記ページング要求を承認するように強制されることを行うステップを含む。
【００４０】
或る実施形態において、前記方法は、
−  前記代替のＣＮエンティティが、この代替のＣＮエンティティが障害の後に再起動していない場合でさえ、この代替のＣＮエンティティが障害の後に再起動しているかのように復元手順を実行するように強制されることを行うステップを含む。
【００４１】
或る実施形態において、前記最初のＣＮエンティティおよび代替のＣＮエンティティは、同一の区域にサービスを提供するＣＮエンティティのプールに属する。
【００４２】
別の態様において、発展型パケット・システムＥＰＳにおけるＣＳフォールバックおよび／またはＳＭＳ  ｏｖｅｒ  ＳＧｓをサポートするシステムにおいて、ＵＥに対するＭＴ  ＣＳサービス配信のためのページング要求のために連絡がされるべきであると、ＵＥに関する最初のモビリティ管理エンティティＭＭＥとＳＧｓとの関連付けを有するＣＳドメイン内のＭＳＣ／ＶＬＲによって最初に識別された、最初のＭＭＥと呼ばれるＥＰＳにおけるＭＭＥに障害が生じた場合の復元のための方法が提供される。
【００４３】
単独で、または組合せで（様々な組合せにより）使用され得る様々な実施形態が提供される。
【００４４】
或る実施形態において、前記方法は、
−  前記最初のＭＭＥの代わりに代替のＭＭＥに連絡がされること、および前記ＵＥが前記代替のＭＭＥに知られていない場合でさえ、前記代替のＭＭＥが前記ページング要求を承認するように強制されることを行うステップを含む。
【００４５】
或る実施形態において、前記方法は、
−  前記代替のＭＭＥが、この代替のＭＭＥにおけるＭＭＥリセット・パラメータが偽に設定されている場合でさえ、この代替のＭＭＥにおけるＭＭＥリセット・パラメータが真に設定されているかのように前記ページング要求を扱うように強制されることを行うステップを含む。
【００４６】
或る実施形態において、前記方法は、
−  通常の動作中、最初のＭＭＥが、ＭＳＣ／ＶＬＲに少なくとも１つの代替のＭＭＥのアイデンティティ情報をシグナリングするステップを含む。
【００４７】
或る実施形態において、前記方法は、
−  通常の動作中、最初のＭＭＥが、ＭＳＣ／ＶＬＲに、ＳＧＳＡＰロケーション更新要求の中で少なくとも１つの代替のＭＭＥのアイデンティティ情報をシグナリングするステップを含む。
【００４８】
或る実施形態において、前記方法は、
−  通常の動作中、最初のＭＭＥが、ＭＳＣ／ＶＬＲに、ＳＧＳＡＰリセット指示メッセージの中で少なくとも１つの代替のＭＭＥのアイデンティティ情報をシグナリングするステップを含む。
【００４９】
或る実施形態において、前記方法は、
−  ＭＳＣ／ＶＬＲを、少なくとも１つの代替のＭＭＥのアイデンティティ情報を含むように事前構成するステップを含む。
【００５０】
或る実施形態において、前記方法は、
−  ＭＳＣ／ＶＬＲが、最初のＭＭＥの障害を、そのＭＭＥに対する利用できる状態にあるＳＣＴＰ関連付けがもはや存在しないことを検出することによって検出するステップを含む。
【００５１】
或る実施形態において、前記方法は、
−  最初のＭＭＥに障害が生じている場合、前記ＵＥに対するＭＴ  ＣＳサービス配信を求める要求を受信すると、ＭＳＣ／ＶＬＲが、代替のＭＭＥを選択し、さらにこの選択された代替のＭＭＥにＳＧＳＡＰページング要求を送信するステップを含む。
【００５２】
或る実施形態において、前記方法は、
−  最初のＭＭＥに障害が生じている場合、前記ＵＥに対するＭＴ  ＣＳサービス配信を求める要求を受信すると、ＭＳＣ／ＶＬＲが、代替のＭＭＥを選択し、さらにこの選択された代替のＭＭＥにＳＧＳＡＰページング要求を送信し、前記ＳＧＳＡＰページング要求は、代替のＭＭＥが前記ページング要求を承認するように強制する復元標識フラグを含むステップを含む。
【００５３】
或る実施形態において、前記方法は、
−  代替のＭＭＥが前記ページング要求を承認するように強制する復元標識フラグを含むＳＧＳＡＰページング要求を受信すると、代替のＭＭＥが、この代替のＭＭＥにおけるＭＭＥリセット・パラメータが偽に設定されている場合でさえ、この代替のＭＭＥにおけるＭＭＥリセット・パラメータが真に設定されているかのように前記ページング要求を扱うステップを含む。
【００５４】
或る実施形態において、前記方法は、
−  代替のＭＭＥが前記ページング要求を承認するように強制する復元標識フラグを含むＳＧＳＡＰページング要求を受信すると、代替のＭＭＥが、この代替のＭＭＥにおけるＭＭＥリセット・パラメータの状態にかかわらず、
・  ＳＧｓＡＰページング要求メッセージが、ロケーション区域識別情報要素を含む場合、ＭＭＥが、ロケーション区域識別情報要素の中で示されるロケーション区域にマップされ得る、ＭＭＥによってサービスが提供されるすべての追跡区域内のＵＥにページングする、または
・  ＳＧｓＡＰページング要求メッセージが、ロケーション区域識別情報要素を含まない場合、ＭＭＥが、ＭＭＥによってサービスが提供されるすべての追跡区域内で、またはＭＭＥおよびＶＬＲによってサービスが提供される追跡区域内でページングを行うことが可能である
ように、ページング要求を扱うステップを含む。
【００５５】
他の態様は、特に、ＥＰＳにおけるＣＳＦＢおよび／またはＳＭＳ  ｏｖｅｒ  ＳＧｓ機能をサポートするＭＭＥおよびＭＳＣ／ＶＬＲ（またはＭＳＣサーバ／ＶＬＲ）などのＭＴ（モバイル終端）ＣＳサービスのそのような復元を実行するために構成されたＣＮエンティティに関する。
【００５６】
或る実施形態において、ＭＴ（モバイル終端）ＣＳサービスのそのような復元を実行するために構成された、モバイル通信システムのためのコア・ネットワーク・エンティティが提供される。
【００５７】
或る実施形態において、ＭＴ（モバイル終端）ＣＳサービスのそのような復元を実行するために構成された、ＥＰＳにおけるＣＳフォールバックおよび／またはＳＭＳ  ｏｖｅｒ  ＳＧｓをサポートするモビリティ管理エンティティＭＭＥが提供される。
【００５８】
或る実施形態において、前記ＭＭＥは、最初のＭＭＥの役割をして、
−  通常の動作中、ＭＳＣ／ＶＬＲに少なくとも１つの代替のＭＭＥのアイデンティティ情報をシグナリングするために構成される。
【００５９】
或る実施形態において、前記ＭＭＥは、最初のＭＭＥの役割をして、
−  通常の動作中、ＭＳＣ／ＶＬＲに、ＳＧＳＡＰロケーション更新要求の中で少なくとも１つの代替のＭＭＥのアイデンティティ情報をシグナリングするために構成される。
【００６０】
或る実施形態において、前記ＭＭＥは、最初のＭＭＥの役割をして、
−  通常の動作中、ＭＳＣ／ＶＬＲに、ＳＧＳＡＰリセット指示メッセージの中で少なくとも１つの代替のＭＭＥのアイデンティティ情報をシグナリングするために構成される。
【００６１】
或る実施形態において、前記ＭＭＥは、代替のＭＭＥの役割をして、
−  代替のＭＭＥが前記ページング要求を承認するように強制する復元標識フラグを含むＳＧＳＡＰページング要求を受信すると、この代替のＭＭＥにおけるＭＭＥリセット・パラメータが偽に設定されている場合でさえ、この代替のＭＭＥにおけるＭＭＥリセット・パラメータが真に設定されているかのように前記ページング要求を扱うために構成される。
【００６２】
或る実施形態において、前記ＭＭＥは、代替のＭＭＥの役割をして、
−  代替のＭＭＥが前記ページング要求を承認するように強制する復元標識フラグを含むＳＧＳＡＰページング要求を受信すると、この代替のＭＭＥにおけるＭＭＥリセット・パラメータの状態にかかわらず、
・  ＳＧｓＡＰページング要求メッセージが、ロケーション区域識別情報要素を含む場合、ＭＭＥが、ロケーション区域識別情報要素の中で示されるロケーション区域にマップされ得る、ＭＭＥによってサービスが提供されるすべての追跡区域内のＵＥにページングする、または
・  ＳＧｓＡＰページング要求メッセージが、ロケーション区域識別情報要素を含まない場合、ＭＭＥが、ＭＭＥによってサービスが提供されるすべての追跡区域内で、またはＭＭＥおよびＶＬＲによってサービスが提供される追跡区域内でページングを行うことが可能である
ように、ページング要求を扱うために構成される。
【００６３】
或る実施形態において、ＭＴ（モバイル終端）ＣＳサービスのそのような復元を実行するために構成された、ＥＰＳにおけるＣＳフォールバックおよび／またはＳＭＳ  ｏｖｅｒ  ＳＧｓをサポートするＭＳＣ／ＶＬＲまたはＭＳＣサーバ／ＶＬＲが提供される。
【００６４】
或る実施形態において、前記ＭＳＣ／ＶＬＲまたはＭＳＣサーバ／ＶＬＲは、
前記ＭＳＣ／ＶＬＲを、少なくとも１つの代替のＭＭＥのアイデンティティ情報を含むように事前構成するために構成される。
【００６５】
或る実施形態において、前記ＭＳＣ／ＶＬＲまたはＭＳＣサーバ／ＶＬＲは、最初のＭＭＥの障害を、そのＭＭＥに対する利用できる状態にあるＳＣＴＰ関連付けがもはや存在しないことを検出することによって検出するために構成される。
【００６６】
或る実施形態において、前記ＭＳＣ／ＶＬＲまたはＭＳＣサーバ／ＶＬＲは、
最初のＭＭＥに障害が生じている場合、前記ＵＥに対するＭＴ  ＣＳサービス配信を求める要求を受信すると、代替のＭＭＥを選択し、さらにこの選択された代替のＭＭＥにＳＧＳＡＰページング要求を送信するために構成される。
【００６７】
或る実施形態において、前記ＭＳＣ／ＶＬＲまたはＭＳＣサーバ／ＶＬＲは、
−  最初のＭＭＥに障害が生じている場合、前記ＵＥに対するＭＴ  ＣＳサービス配信を求める要求を受信すると、代替のＭＭＥを選択し、この選択された代替のＭＭＥにＳＧＳＡＰページング要求を送信し、前記ＳＧＳＡＰページング要求は、代替のＭＭＥが前記ページング要求を承認するように強制する復元標識フラグを含むために構成される。
【００６８】
前述したエンティティの詳細な例は、当業者に特別な問題を全くもたらすことなく、したがって、そのようなエンティティが、当業者のために、前述した以上に詳細に開示される必要はない。
【００６９】
前述した様々な方法のステップは、プログラミングされたコンピュータによって実行され得ることが、当業者には直ちに認識されよう。本明細書で、一部の実施形態は、マシン可読またはコンピュータ可読であるとともに、命令のマシン実行可能プログラムまたはコンピュータ実行可能プログラムを符号化し、前記命令が、前述した方法のステップのいくつか、またはすべてを実行するプログラム・ストレージ・デバイス、例えば、デジタル・データ記憶媒体を範囲に含むことも意図している。このプログラム・ストレージ・デバイスは、例えば、デジタル・メモリ、磁気ディスクや磁気テープなどの磁気記憶媒体、ハードドライブ、または光学的に読み取り可能なデジタル・データ記憶媒体であることが可能である。また、これらの実施形態は、前述した方法の前記ステップを実行するようにプログラミングされたコンピュータを範囲に含むことも意図している。
【図１】
0006367711.tif 000002
【図２】
0006367711.tif 000003
【図３】
0006367711.tif 000004